(57)【要約】【課題】装置の状態を監視する監視システムを提供すること。【解決手段】基板ボックスの上蓋部の裏面側には、識別用ＩＣタグが設置され、主制御基板の右下端部には、識別用ＩＣタグとＲＦ送受信を行うためのアンテナが設けられている。アンテナと識別用ＩＣタグとの距離は、上蓋部と下蓋部を組み付けた状態で約３ｍｍに配置されており、アンテナに接続したＲ／Ｗユニットは、識別用ＩＣタグと常時通信を行って基板ボックスの状態を監視する。上蓋部が開放され、アンテナと識別用ＩＣタグの距離が約５ｍｍを超えると通信不能になり、開放がすぐにＲ／Ｗに検知される。このようにして監視した監視履歴データは、ガラス枠１３の裏面に設置された履歴管理用ＩＣタグ８７から出力され、ＰＤＡ１００を用いてパチンコ機１の前面側から受信する。【選択図】　図３
2004086888.tif 000002
【特許請求の範囲】
【請求項１】
他のＩＣタグと区別するための識別データを記憶した識別用ＩＣタグと、その識別用ＩＣタグと通信を行って前記識別用ＩＣタグを監視するＩＣタグ監視装置とからなる監視システムであって、
前記ＩＣタグ監視装置は、
前記識別用ＩＣタグを呼び出す呼出波を送信する呼出波送信手段と、
前記識別用ＩＣタグから返送される反射波を受信する反射波受信手段と、
前記呼出波送信手段が呼出波を送信してから所定時間内に前記反射波受信手段が反射波を受信せず通信不能状態となった場合、又は、前記反射波に含まれる前記識別データが予め登録されている登録データと異なっている場合に異常と判定する判定手段と、
前記判定手段による判定結果を含む監視履歴データを外部に出力する監視履歴第１出力手段とを備え、
前記識別用ＩＣタグは、
前記ＩＣタグ監視装置から送信される前記呼出波に応答して前記反射波を放出するＲＦ回路と、
前記監視履歴第１出力手段から出力された前記監視履歴データを受信する監視履歴第１受信手段と、
その監視履歴第１受信手段が受信した前記監視履歴データを記憶する第１記憶手段と、
その第１記憶手段が記憶した前記監視履歴データを外部に出力する監視履歴第２出力手段とを備えたことを特徴とする監視システム。
【請求項２】
前記識別用ＩＣタグから前記監視履歴データを非接触で読み取る監視履歴読取装置を備え、
前記監視履歴読取装置は、
前記識別用ＩＣタグに前記監視履歴データの出力を要求する信号を送信する要求信号送信手段と、
前記監視履歴第２出力手段から出力された前記監視履歴データを受信する監視履歴第２受信手段とを備えたことを特徴とする請求項１に記載の監視システム。
【請求項３】
識別用ＩＣタグと、その識別用ＩＣタグと通信を行って前記識別用ＩＣタグを監視するＩＣタグ監視装置と、そのＩＣタグ監視装置の監視履歴を管理する履歴管理用ＩＣタグとからなる監視システムであって、
前記識別用ＩＣタグは、
他の識別用ＩＣタグと区別するための識別データを記憶し、
前記ＩＣタグ監視装置から送信される呼出波に応答して反射波を放出するＲＦ回路を備え、
前記ＩＣタグ監視装置は、
前記識別用ＩＣタグを呼び出す前記呼出波を送信する呼出波送信手段と、
前記識別用ＩＣタグから返送される前記反射波を受信する反射波受信手段と、前記呼出波送信手段が呼出波を送信してから所定時間内に前記反射波受信手段が反射波を受信せず通信不能状態となった場合、又は、前記反射波に含まれる前記識別データが予め登録されている登録データと異なっている場合に異常と判定する判定手段と、
前記判定手段による判定結果を含む監視履歴データを外部に出力する監視履歴第３出力手段とを備え、
前記履歴管理用ＩＣタグは、
前記監視履歴第３出力手段から出力された前記監視履歴データを受信する監視履歴第３受信手段と、
その監視履歴第３受信手段が受信した前記監視履歴データを少なくとも一時的に記憶する第２記憶手段と、
その第２記憶手段が記憶した前記監視履歴データを外部に出力する監視履歴第４出力手段とを備えたことを特徴とする監視システム。
【請求項４】
前記監視履歴データは、前記反射波受信手段が前記反射波を受信できる通信可能状態から前記反射波を受信できない通信不能状態となった時点の時刻である消失時刻、前記通信不能状態から前記通信可能状態になった時点の時刻である復帰時刻、又は、予め登録されている登録データと異なる識別データが受信された時点の時刻であるＩＤ異常時刻のうち少なくとも１つを含むことを特徴とする請求項３に記載の監視システム。
【請求項５】
前記第２記憶手段は、複数の前記識別用ＩＣタグについての監視履歴データを記憶することを特徴とする請求項３又は４に記載の監視システム。
【請求項６】
前記履歴管理用ＩＣタグから前記監視履歴データを非接触で読み取る監視履歴読取装置を備え、
前記監視履歴読取装置は、
前記履歴管理用ＩＣタグに前記監視履歴データの出力を要求する信号を送信する要求信号送信手段と、
前記監視履歴第４出力手段から出力された前記監視履歴データを受信する監視履歴第４受信手段とを備えたことを特徴とする請求項３乃至５のいずれかに記載の監視システム。
【請求項７】
請求項１、３乃至５のいずれかに記載の監視システムを備えた遊技機。
【請求項８】
前記履歴管理用ＩＣタグは、前記監視履歴データを遊技機の前面側から読取可能な位置に設けられていることを特徴とする請求項７に記載の遊技機。
【発明の詳細な説明】
【０００１】
【発明の属する技術分野】
本発明は、遊技機、例えばパチンコ機などの装置の状態を監視する監視システム及び遊技機に関するものである。
【０００２】
【従来の技術】
従来、遊技機のうちパチンコ機においては、不当に遊技球を獲得する不正行為が後を絶たず、種々の防止策が施されている。特に、遊技機の制御を司る制御基板の不正改造、例えば、不正ＲＯＭへの交換を防止するために、制御基板を収納する制御基板収納ボックスには、様々な工夫が施されている。例えば、制御基板収納ボックスに封印シールを貼付したり、また、特開平１０−２１６３２４号公報に記載のパチンコ機の制御基板収納ボックスでは、主制御基板に触われないように、制御基板収納ボックスを閉じるかしめ方向にのみ回転する封印ビスによって、制御基板収納ボックスの開放が困難になっている。さらに、特開平９−３４３６５号公報に記載のパチンコ機では、可動接点を用いて収納ボックスの開閉を検出して、その検出信号を記憶して、発光ダイオードにより報知するようになっている。また、特開２０００−２８８２１８号公報に記載の遊技用装置では、制御基板収納ボックスの表面にＩＣタグを貼着し、ＩＤ読取装置からの送信要求に応じてＩＣタグからその内部に記憶された識別情報をＩＤ読取装置に送信させ、識別情報を確認することにより、制御基板収納ボックスごと制御基板がすり替えられたか否かを判断するようになっている。
【０００３】
【発明が解決しようとする課題】
しかしながら、上述したような封印シールを用いるものでは、制御基板収納ボックスを開放して不正ＲＯＭへの交換が終了した後に、精巧な偽造封印シールを張られてしまうと制御基板収納ボックスが開閉されたか否かを判断することは困難だった。また、封印ビスを用いるものでは、特殊な工具で強制的に封印ビスを開放方向へ回して制御基板収納ボックスを開放して不正ＲＯＭへの交換が行われてしまうことがあった。さらに、可動接点を用いて制御基板収納ボックスの開閉を検出するものでは、制御基板収納ボックスは、通常透明の樹脂により形成されているために、収納ボックスの開閉を検出する可動接点が用いられているのが目視により分かり、基板収納ボックスの隙間から、ピアノ線などを入れて可動接点が動かないようにされてしまうことがあった。この場合には、制御基板収納ボックスの開閉を検出することができなくなると言う問題点があった。さらに、上記の従来技術では、制御基板収納ボックスが開閉されたか否かは、制御基板を目視しないと判断できないという問題点があり、このような不正行為は夜間に行われることが多いが、遊技場に何百台とある遊技機を毎朝点検確認するのは煩雑であった。また、ＩＣタグの識別により制御基板収納ボックスのすり替えを監視するものでは、ＩＤ読取装置が制御基板収納ボックスの外側に配置されているため、ＩＣタグとＩＤ読取装置の相対位置を変更せずに制御基板収納ボックスを開放し、収納された制御基板上のＲＯＭをすり替えることが可能であり、結局は、不正行為の早期発見には至らなかった。また、ＩＣタグが複数存在する場合には、遊技機を開いて１つずつ読み取る必要があり、読み取り操作が面倒であった。
【０００４】
本発明は、上記課題を解決するためになされたものであり、制御基板収納ボックスの開閉等の装置の状態をリアルタイムに監視する監視システム及び遊技機を提供することを目的としている。
【０００５】
【課題を解決するための手段】
上記目的を達成するために、請求項１に記載の監視システムは、他のＩＣタグと区別するための識別データを記憶した識別用ＩＣタグと、その識別用ＩＣタグと通信を行って前記識別用ＩＣタグを監視するＩＣタグ監視装置とからなる監視システムであって、前記ＩＣタグ監視装置は、前記識別用ＩＣタグを呼び出す呼出波を送信する呼出波送信手段と、前記識別用ＩＣタグから返送される反射波を受信する反射波受信手段と、前記呼出波送信手段が呼出波を送信してから所定時間内に前記反射波受信手段が反射波を受信せず通信不能状態となった場合、又は、前記反射波に含まれる前記識別データが予め登録されている登録データと異なっている場合に異常と判定する判定手段と、前記判定手段による判定結果を含む監視履歴データを外部に出力する監視履歴第１出力手段とを備え、前記識別用ＩＣタグは、前記ＩＣタグ監視装置から送信される前記呼出波に応答して前記反射波を放出するＲＦ回路と、前記監視履歴第１出力手段から出力された前記監視履歴データを受信する監視履歴第１受信手段と、その監視履歴第１受信手段が受信した前記監視履歴データを記憶する第１記憶手段と、その記憶手段が記憶した前記監視履歴データを外部に出力する監視履歴第２出力手段とを備えたことを特徴とする。
【０００６】
この構成の監視システムでは、ＩＣチップを内蔵した識別用ＩＣタグに対し、ＩＣタグ監視装置に備えられた呼出波送信手段が呼出波を送信して識別用ＩＣタグを呼び出す。すると、識別用ＩＣタグは記憶しているＩＤコード等の識別データを含む反射波を返し、これをＩＣタグ監視装置に備えられた反射波受信手段が受信する。そして、呼出波送信手段が呼出波を送信してから所定時間内に反射波受信手段が反射波を受信せず通信不能状態となった場合、又は、反射波に含まれる識別データが予め登録されている登録データと異なっていた場合には、判定手段が異常と判定し、監視履歴第１出力手段が判定手段による判定結果を含む監視履歴データを外部に出力する。さらに、識別用ＩＣタグに備えられた監視履歴第１受信手段が監視履歴第１出力手段が出力した監視履歴データを受信して、第１記憶手段がその監視履歴データを記憶し、監視履歴第２出力手段がその監視履歴データを外部に出力する。
【０００７】
ＩＣタグは、ＲＦＩＤ（Ｒａｄｉｏ　Ｆｒｅｑｕｅｎｃｙ−ＩＤｅｎｔｉｆｉｃａｔｉｏｎ）とも呼ばれ、内蔵のＩＣチップは非接触型のＩＣカードと同様のものであり、非接触通信により交信を行う。ＩＣチップ内のメモリ領域には、識別データとして、ＩＣタグ固有のＩＤコードに加えて、設置されている装置のＩＤ（メーカーＩＤ）、遊技場の管理コード（ホールＩＤ）等を追記して記憶させておくことが可能である。これらのＩＤは、それぞれが６４ｂｉｔ程度のユニークな（一意に識別できる）情報で構成されており、ＩＤを２重３重に構成することで、複製して不正に利用することは非常に困難になる。呼出波に応えて送信される反射波にはこのような識別データが含まれるため、光や電気等に比べて改竄やいわゆる「なりすまし」が難しい。従って、常には識別用ＩＣタグをアンテナから通信可能な位置に設置しておくと、識別用ＩＣタグを固着した部材が通信可能な範囲外へ移動する等した場合には、反射波が受信できなくなり、通信不能となる。また、通信不能状態から、通信可能範囲内の位置へ再び復帰すると反射波が受信できるようになる。このため、目視によらず部材の開放や移動等装置の状態の変化を検知することができる。このような通信不能と復帰を記憶させて履歴に残すようにすれば、正常な場合と不正な場合とを区別することもでき、効果的に監視を行うことができる。
【０００８】
さらに、ＩＣタグ監視装置が識別用ＩＣタグを監視した履歴を識別用ＩＣタグ自身に記憶する。従って携帯型の読取装置等を用いれば、識別用ＩＣタグから監視履歴データを非接触で取り出すことができる。このように構成することで、ＩＣタグ監視装置が物理的にどこに設置されていても、簡便・効率的に監視履歴を取り出して管理することが可能になる。
【０００９】
請求項２に記載の監視システムは、請求項１に記載の発明の構成に加え、前記識別用ＩＣタグから前記監視履歴データを非接触で読み取る監視履歴読取装置を備え、前記監視履歴読取装置は、前記識別用ＩＣタグに前記監視履歴データの出力を要求する信号を送信する要求信号送信手段と、前記監視履歴第２出力手段から出力された前記監視履歴データを受信する監視履歴第２受信手段とを備えたことを特徴とする。
【００１０】
この構成の監視システムでは、請求項１に記載の発明の作用に加え、監視履歴読取装置に備えられた要求信号送信手段が、識別用ＩＣタグに監視履歴データの出力を要求する信号を送信し、監視履歴第２受信手段が監視履歴第２出力手段から出力された監視履歴データを受信する。従って、監視履歴読取装置により、監視履歴データを非接触により読み取り、その場で監視履歴データを確認できるほか、監視履歴読取装置からネットワークを介してコンピュータに監視履歴データを送信して管理する等効果的に監視を行うことができる。
【００１１】
請求項３に記載の監視システムは、識別用ＩＣタグと、その識別用ＩＣタグと通信を行って前記識別用ＩＣタグを監視するＩＣタグ監視装置と、そのＩＣタグ監視装置の監視履歴を管理する履歴管理用ＩＣタグとからなる監視システムであって、前記識別用ＩＣタグは、他の識別用ＩＣタグと区別するための識別データを記憶し、前記ＩＣタグ監視装置から送信される呼出波に応答して反射波を放出するＲＦ回路を備え、前記ＩＣタグ監視装置は、前記識別用ＩＣタグを呼び出す呼出波を送信する呼出波送信手段と、前記識別用ＩＣタグから返送される前記反射波を受信する反射波受信手段と、前記呼出波送信手段が前記呼出波を送信してから所定時間内に前記反射波受信手段が反射波を受信せず通信不能状態となった場合、又は、前記反射波に含まれる前記識別データが予め登録されている登録データと異なっている場合に異常と判定する判定手段と、前記判定手段による判定結果を含む監視履歴データを外部に出力する監視履歴第３出力手段とを備え、前記履歴管理用ＩＣタグは、前記監視履歴第３出力手段から出力された前記監視履歴データを受信する監視履歴第３受信手段と、その監視履歴第３受信手段が受信した前記監視履歴データを少なくとも一時的に記憶する第２記憶手段と、その第２記憶手段が記憶した前記監視履歴データを外部に出力する監視履歴第４出力手段とを備えたことを特徴とする。
【００１２】
この構成の監視システムでは、ＩＣチップを内蔵した識別用ＩＣタグに対し、ＩＣタグ監視装置に備えられた呼出波送信手段が呼出波を送信して識別用ＩＣタグを呼び出す。すると、識別用ＩＣタグは記憶しているＩＤコード等の識別データを含む反射波を返し、これをＩＣタグ監視装置に備えられた反射波受信手段が受信する。そして、呼出波送信手段が呼出波を送信してから所定時間内に反射波受信手段が反射波を受信せず通信不能状態となった場合、又は、反射波に含まれる識別データが予め登録されている登録データと異なっていた場合には、判定手段が異常と判定し、監視履歴第３出力手段が判定手段による判定結果を含む監視履歴データを外部に出力する。さらに、履歴管理用ＩＣタグに備えられた監視履歴第３受信手段が監視履歴第３出力手段が出力した監視履歴データを受信して、第２記憶手段がその監視履歴データを少なくとも一時的に記憶し、監視履歴第４出力手段がその監視履歴データを外部に出力する。
【００１３】
ＩＣタグは、ＲＦＩＤ（Ｒａｄｉｏ　Ｆｒｅｑｕｅｎｃｙ−ＩＤｅｎｔｉｆｉｃａｔｉｏｎ）とも呼ばれ、内蔵のＩＣチップは非接触型のＩＣカードと同様のものであり、非接触通信により交信を行う。ＩＣチップ内のメモリ領域には、識別データとして、ＩＣタグ固有のＩＤコードに加えて、設置されている装置のＩＤ（メーカーＩＤ）、遊技場の管理コード（ホールＩＤ）等を追記して記憶させておくことが可能である。これらのＩＤは、それぞれが６４ｂｉｔ程度のユニークな（一意に識別できる）情報で構成されており、ＩＤを２重３重に構成することで、複製して不正に利用することは非常に困難になる。呼出波に応えて送信される反射波にはこのような識別データが含まれるため、光や電気等に比べて改竄やいわゆる「なりすまし」が難しい。従って、常には識別用ＩＣタグをアンテナから通信可能な位置に設置しておくと、識別用ＩＣタグを固着した部材が通信可能な範囲外へ移動する等した場合には、反射波が受信できなくなり、通信不能となる。また、通信不能状態から、通信可能範囲内の位置へ再び復帰すると反射波が受信できるようになる。このため、目視によらず部材の開放や移動等装置の状態の変化を検知することができる。このような通信不能と復帰を記憶させて履歴に残すようにすれば、正常な場合と不正な場合とを区別することもでき、効果的に監視を行うことができる。
【００１４】
さらに、監視履歴を装置外部に出力するための履歴管理用ＩＣタグを用意し、ＩＣタグ監視装置が識別用ＩＣタグを監視した履歴を履歴管理用ＩＣタグに出力する。従って携帯型の読取装置等を用いれば、履歴管理用ＩＣタグから監視履歴データを非接触で取り出すことができる。このように構成することで、ＩＣタグ監視装置が物理的にどこに設置されていても、履歴管理用ＩＣタグを外部と送受信しやすい位置に設置すれば、簡便・効率的に監視履歴を取り出して管理することが可能になる。
【００１５】
請求項４に記載の監視システムは、請求項３に記載の発明の構成に加え、前記監視履歴データは、前記反射波受信手段が前記反射波を受信できる通信可能状態から前記反射波を受信できない通信不能状態となった時点の時刻である消失時刻、前記通信不能状態から前記通信可能状態になった時点の時刻である復帰時刻、又は、予め登録されている登録データと異なる識別データが受信された時点の時刻であるＩＤ異常時刻のうち少なくとも１つを含むことを特徴とする。
【００１６】
この構成の監視システムでは、請求項３に記載の発明の作用に加え、監視履歴データには、反射波受信手段が反射波を受信できなくなった時点の時刻（消失時刻）、再び受信できるようになった時点の時刻（復帰時刻）、識別用ＩＣタグのすり替え等により予め登録されている登録データと異なる識別データが受信された時点の時刻（ＩＤ異常時刻）のいずれかが含まれる。従って、識別用ＩＣタグの監視履歴を後から参照することができる。また、不正が行われた正確な時刻を知ることができるため、監視システムの設置された装置のある遊技場等に監視カメラが設置されている場合には、監視カメラの撮影時刻と照合すれば、不正行為をなした人物を特定することも可能である。
【００１７】
請求項５に記載の監視システムは、請求項３又は４に記載の発明の構成に加え、前記第２記憶手段は、複数の前記識別用ＩＣタグについての監視履歴データを記憶することを特徴とする。
【００１８】
この構成の監視システムでは、請求項３又は４に記載の発明の作用に加え、履歴管理用ＩＣタグに複数の識別用ＩＣタグについての監視履歴データを記憶する。従って、複数箇所に識別用ＩＣタグを設置し、それぞれの監視履歴データを読み取りたい場合にも、１箇所の履歴管理用ＩＣタグと通信すればよく、効率的に監視・管理を行うことができる。
【００１９】
請求項６に記載の監視システムは、請求項３乃至５のいずれかに記載の発明の構成に加え、前記履歴管理用ＩＣタグから前記監視履歴データを非接触で読み取る監視履歴読取装置を備え、前記監視履歴読取装置は、前記履歴管理用ＩＣタグに前記監視履歴データの出力を要求する信号を送信する要求信号送信手段と、前記監視履歴第４出力手段から出力された前記監視履歴データを受信する監視履歴第４受信手段とを備えたことを特徴とする。
【００２０】
この構成の監視システムでは、請求項３乃至５のいずれかに記載の監視システムの作用に加え、監視履歴読取装置に備えられた要求信号送信手段が、履歴管理用ＩＣタグに監視履歴データの出力を要求する信号を送信し、監視履歴第４受信手段が監視履歴第４出力手段から出力された監視履歴データを受信する。従って、監視履歴読取装置により、監視履歴データを非接触により読み取り、その場で監視履歴データを確認できるほか、監視履歴読取装置からネットワークを介してコンピュータに監視履歴データを送信して管理する等効果的に監視を行うことができる。
【００２１】
請求項７に記載の遊技機は、請求項１、３乃至５のいずれかに記載の監視システムを備えている。この構成の遊技機では、請求項１、３乃至５のいずれかに記載の発明の作用を奏することができる。
【００２２】
請求項８に記載の遊技機は、請求項７に記載の発明の構成に加え、前記履歴管理用ＩＣタグは、前記監視履歴データを遊技機の前面側から読取可能な位置に設けられていることを特徴とする。
【００２３】
この構成の遊技機では、請求項７に記載の発明の作用に加え、遊技機の前面側から非接触型の読取装置等を用いて履歴管理用ＩＣタグにアクセスし、容易に監視履歴データを取り出して管理することができる。ここで、監視履歴データを遊技機の前面側から読取可能な位置には、少なくとも遊技機の前面部、遊技機の前面部の裏面、遊技機の上面の前面部近傍、遊技機の底面の前面部近傍、遊技盤等が該当する。
【００２４】
【発明の実施の形態】
以下、本発明の一実施の形態について図面を参照して以下の順で説明する。
１．装置の構成の説明
２．発明部分の構成説明
３．装置内部のハード部分の構成説明
４．発明部分のハード部分の構成説明
５．発明部分の動作説明
６．変形例の説明
７．実施の形態の効果
【００２５】
１．装置の構成の説明
図１はパチンコ機１の正面図、図２はパチンコ機１の遊技盤２の正面図、図３はパチンコ機１のガラス枠１３を開いた状態の斜視図である。図１〜図３に示すように、パチンコ機１の正面の上半分の部分には、略正方形の遊技盤２が設けられ、遊技盤２には、ガイドレール３で囲まれた略円形の遊技領域４が設けられている。遊技盤２は、前面中央に遊技領域４を有し、透明なガラス板を保持したガラス枠１３で覆われている。ガラス枠１３の正面視左上方には、基板ボックス８０（図４参照）や大入賞口１６に設けられた識別用ＩＣタグにより監視した履歴を外部に出力するための履歴管理用ＩＣタグ８７が設けられている。パチンコ機１の遊技盤２の下方部には、図示外の発射機に遊技球を供給し、また、賞品球を受ける上皿５が設けられ、上皿５の直下には、賞品球を受ける下皿６が設けられ、下皿６の右横には、発射ハンドル７が設けられ、上皿５と下皿６との間には、スピーカー４８が設けられている。
【００２６】
また、遊技領域４の略中央には、液晶画面を備えた特別図柄表示装置８が設けられている。この特別図柄表示装置８には、第１図柄停止部Ｌ１、第２図柄停止部Ｌ２、第３図柄停止部Ｌ３及び普通図柄表示部８ａが設けられており、普通図柄表示部８ａには、一桁の数字や一文字のアルファベットあるいは記号やマーク等の図柄を表示できるようになっている。また、特別図柄表示装置８の右上方には電飾風車９が設けられ、左上方にも電飾風車１０が設けられている。さらに、特別図柄表示装置８の右側には普通図柄始動ゲート１１が設けられ、左側にも普通図柄始動ゲート１２が設けられている。また、特別図柄表示装置８の下側には、特別図柄始動電動役物１５が設けられており、その特別図柄始動電動役物１５の下方には、大入賞口１６が設けられている。尚、遊技盤２には、上記以外に、種々の電飾ランプ、風車及び多数の障害釘等が設けられている。
【００２７】
次に、図４を参照して、パチンコ機１の背面の構造について説明する。図４はパチンコ機１の背面図である。図４に示すように、パチンコ機１の左下部背面には、パチンコ機１の主制御を司る主制御基板４１を収納した基板ボックス８０が設けられ、基板ボックス８０の右隣には音基板４３が、音基板４３の右隣上方には電源基板４２が、その下方には払出制御基板４５がそれぞれ透明な樹脂製のボックスに収められて配置されている。さらに、基板ボックス８０の上方には、遊技盤の裏面を保護し、各種配線を覆うセンターカバー９０が配置され、そのセンターカバー９０の外側に識別用ＩＣタグを呼び出してＩＤコードを読み取るためのリーダ・ライタユニット（以下、「Ｒ／Ｗユニット」という。）５６が設置されている。
【００２８】
２．発明部分の構成説明
次に、図５を用いてＩＣタグ監視装置であるＲ／Ｗユニット５６について説明する。図５は、Ｒ／Ｗユニット５６の分解斜視図である。Ｒ／Ｗユニット５６は、基板ボックス８０の上方、センターカバー９０の外側にビスにより取り付けられており（図４参照）、パチンコ機１とは独立してなるユニットとして構成され、島設備から電源供給を受けている。図５に示すように、Ｒ／Ｗユニット５６には、ＣＰＵ５６ａ、ＲＡＭ５６ｂ、ＲＯＭ５６ｃ、ＥＥＰＲＯＭ５６ｄ、ＲＦ回路５６ｇ、入出力ポート５６ｉが備えられ、呼出波送信手段及び反射波受信手段であるＲＦ回路５６ｇから同軸ケーブル５６ｋによりアンテナ６８，１６８（後述）に接続し、入出力ポート５６ｉから図示しないケーブルにより履歴管理用ＩＣタグ８７に接続している。また、入出力ポート５６ｉを経由して、パチンコ機１の主制御基板４１からの信号を受信する。Ｒ／Ｗユニット５６は、アンテナ６８，１６８を介して識別用ＩＣタグ８６，１８６と無線通信を行う。さらに、Ｒ／Ｗユニット５６には、識別用ＩＣタグ８６，１８６との通信に異常があった場合に点灯される７セグメント表示器６９が設けられている。７セグメント表示器６９は、識別用ＩＣタグが識別不能状態になったり、ＩＤエラーになったりして、設置箇所に開閉等の異常が判定された場合に、異常箇所を特定し（例えばＡ，Ｂ等の記号による）、異常（開閉）回数の累計を表示する。
【００２９】
次に、図６乃至図９を参照して、基板ボックス８０の構造について説明する。図６は、基板ボックス８０の正面図であり、図７は、基板ボックス８０の斜視図であり、図８及び図９は、基板ボックス８０の分解斜視図である。
【００３０】
図６乃至図９に示すように、基板ボックス８０は、透明な樹脂製の平面視略長方形の上蓋部８０ａと、同じく透明な樹脂製の平面視略長方形の下蓋部８０ｃとから構成されている。また、上蓋部８０ａに対向する下蓋部８０ｃ上には、パチンコ機１の主制御を司る主制御基板４１が配置されている。そして、図９に示すように、上蓋部８０ａの裏面側には、小型で長方形の識別用ＩＣタグ８６が接着剤等で接着されている。
【００３１】
ここで、識別用ＩＣタグ８６の構造について説明する。図１０は、識別用ＩＣタグ８６の平面図である。識別用ＩＣタグ８６は、図１０に示すように、薄いフレキシブルプリント基板上にＲＦ回路８６ａとＥＥＰＲＯＭ８６ｃ（図１７参照）とが一体となったＩＣチップ８６ｄ及びアンテナ回路８６ｂが設けられてなっている。
【００３２】
また、図８に示すように、主制御基板４１の右下端部は切り欠かれており、それと対向する下蓋部８０ｃには、識別用ＩＣタグ８６と電磁波によるＲＦ（Ｒａｄｉｏ　Ｆｒｅｑｕｅｎｃｙ：高周波無線）送受信を行うためのコイル状のアンテナ６８が設けられ、アンテナ６８は同軸ケーブル５６ｋによりＲ／Ｗユニット５６に接続されている。本実施形態において、識別用ＩＣタグ８６とアンテナ６８は、１３．５６ＭＨｚの短波帯で通信を行っている。アンテナ６８と識別用ＩＣタグ８６との距離は、上蓋部８０ａと下蓋部８０ｃを組み付けた状態で約３ｍｍになるように配置されている。この距離間ではＲＦ送受信が可能でありアンテナ６８を介したＲ／Ｗユニット５６からの呼び出しに識別用ＩＣタグ８６が応答することができ、アンテナ６８と識別用ＩＣタグ８６との距離が約５ｍｍを超えると通信不能となるように設定されている。この通信可能距離は、アンテナ６８のコイルの巻き数やリアクタンス値により調節が可能である。このように通信可能距離を設定することにより、上蓋部８０ａのわずかな隙間の開放であっても検知することができ、また、振動等によるわずかな揺れでは通信不能とならないように調整されている。
【００３３】
アンテナ６８と識別用ＩＣタグ８６間の通信は電磁波を使用するので、他の電磁波を使用する部材からのノイズの影響による誤動作を防ぐために、識別用ＩＣタグ８６やアンテナ６８は、ソレノイドを使用している賞品払出装置４９や発射モータ６７（後述）から離した位置である主制御基板４１の右下端部に配置している。
【００３４】
次に、所定条件の成立により扉を開閉する可変入賞装置の一種である大入賞口１６が設けられているアタッカ部材１６０への識別用ＩＣタグの設置について図１１及び図１２に基づいて詳細に説明する。図１１は、開閉扉１６ａが閉鎖されている状態のアタッカ部材１６０の斜視図であり、図１２は、開閉扉１６ａが開放されている状態のアタッカ部材１６０の斜視図である。
【００３５】
図１１及び図１２に示すように、アタッカ部材１６０の開閉扉１６ａの表面には、前述した識別用ＩＣタグ８６と同形状の識別用ＩＣタグ１８６（図１０参照）が貼り付けられ、さらに識別用ＩＣタグ１８６を覆うように装飾シール等が貼付されて遊技者からは見えないようになっている。また、アタッカ部材１６０の開口部である大入賞口１６の周囲には、識別用ＩＣタグ１８６を囲むようにループ形状のアンテナ１６８が設けられ、アンテナ１６８は同軸ケーブル５６ｋによりＲ／Ｗユニット５６に接続されている。図１１に示す大入賞口１６の閉鎖状態では、識別用ＩＣタグ１８６とアンテナ１６８はほぼ同一平面上に位置している。この識別用ＩＣタグ１８６は、送受信方向に指向性があり、アンテナと平行に位置した場合のみ送受信可能である。図１１に示すように、開閉扉１６ａが閉鎖された状態ではアンテナ１６８と識別用ＩＣタグ１８６は平行となるので、アンテナ１６８を介したＲ／Ｗユニット５６からの呼出波に対して識別用ＩＣタグ１８６から反射波が返される。一方、図１２に示すように開閉扉１６ａが開くと、識別用ＩＣタグ１８６とアンテナ１６８とは平行でなくなり、通信可能な臨界角度を超えると、識別用ＩＣタグ１８６はＲ／Ｗユニット５６からの呼び出しに応答できなくなる。
【００３６】
前述したように、アンテナ１６８と識別用ＩＣタグ１８６間の通信は電磁波を使用するため、他の電磁波を使用する部材からのノイズの影響による誤動作を防ぐために、識別用ＩＣタグ１８６やアンテナ１６８は、アタッカ部材１６０の左奥に位置する大入賞口開放ソレノイド７０（後述）から離した位置に配置されている。
【００３７】
次に、履歴管理用ＩＣタグ８７の構造について説明する。図１３は、履歴管理用ＩＣタグ８７の平面図である。履歴管理用ＩＣタグ８６は、図１３に示すように、ＲＦ回路８７ｅ，ＲＯＭ、ＲＡＭ内蔵型のＣＰＵ８７ｃ，ＥＥＰＲＯＭ８７ｄ（図１８参照）とが一体となったＩＣチップ８７ａ及びアンテナ回路８７ｂが設けられてなっている。ＩＣチップ８７ａは入出力ポート８７ｇを備え、ケーブル８７ｋを介してＲ／Ｗユニット５６から監視履歴データを受信し、後述のＰＤＡ１００からの呼出波に応答して、ＰＤＡ１００に監視履歴データを出力する。図３に示すように、履歴管理用ＩＣタグ８７は、ガラス枠１３の裏面に接着剤等で接着されて設けられている。パチンコ機１の前面側からアクセス可能に配置されているので、係員がＰＤＡ１００を用いて容易に監視履歴データの読取を行うことができる。本実施形態において、履歴管理用ＩＣタグ８７とＰＤＡ１００のアンテナ１０２（後述）は、１２５ｋＨｚの長波帯で通信を行っている。この周波数帯での通信は、読取装置の出力が２ｋＷ程度まで可能であり、通信距離を長くとることができる。例えば、履歴管理用ＩＣタグ８７がカードサイズで、アンテナが約３０ｃｍであれば、約３０ｃｍ離れた位置から読み取りが可能である。
【００３８】
次に、履歴管理用ＩＣタグ８７から監視履歴データを読み取る監視履歴読取装置であるＰＤＡ１００の構成について図１４を参照して説明する。図１４は、ＰＤＡ１００の斜視図である。図１４に示すように、ＰＤＡ１００は、周知の携帯型情報端末であり、上部にＳＤメモリカード（Ｓｅｃｕｒｅ　Ｄｉｇｉｔａｌ　Ｍｅｍｏｒｙ　Ｃａｒｄ）やＭＭＣ（Ｍｕｌｔｉ　Ｍｅｄｉａ　Ｃａｒｄ）等のメモリーカード、あるいは小型フラッシュメモリーカード型やＰＣカード型のＰＨＳアダプタ等を挿入するためのカードスロットを備え、カードスロットには、アンテナ１０２とＲＦ回路１１０（図１９参照）を備えた読取ユニット１０１が挿入されている。読取ユニット１０１は、アンテナ１０２を履歴管理用ＩＣタグ８７に適切な角度で向けられるように、回転軸１１４を中心に９０度の範囲で屈折可能な構成となっている。また、ＰＤＡ１００の正面にはメニューや受信した監視履歴データ等を表示する表示パネル１０３、表示パネル１０３に表示されるカーソルや表示内容を上下左右に移動させるための方向キー１０５、主に使用するメニューを割り当てて起動させるメニューボタン１０４を備えている。さらに、ＰＤＡ１００の側面には赤外線通信用の赤外線通信ポート（図示せず）が、底面には入出力回路１０７（図１９参照）からクレードル等を介してパーソナルコンピュータ等の外部機器に接続するためのコネクタ（図示せず）が設けられている。そして、上記構成によりＰＤＡ１００は、アンテナ１０２を履歴管理用ＩＣタグ８７に向け、監視履歴データの送信要求信号を送信し、履歴管理用ＩＣタグ８７から監視履歴データを受信する。受信した監視履歴データは、表示パネル１０３に表示される。
【００３９】
３．装置内部のハード部分の構成説明
次に、パチンコ機１の電気的構成について図１５を参照して説明する。図１５は、パチンコ機１の電気的回路構成を示すブロック図である。パチンコ機１の制御部４０はパチンコ機１の裏側に設けられ、この制御部４０は、主制御基板４１、電源基板４２、音基板４３、図柄表示基板４４、払出制御基板４５、電飾基板４６、中継基板４７及び発射基板６６から構成され、主制御基板４１には、プログラムに従って各種の処理を行うＬＳＩ５０が設けられている（図８参照）。このＬＳＩ５０には、各種の演算処理を行うＣＰＵ５１、フラグやカウンタ値やデータやプログラム等を記憶するＲＡＭ５２と、制御プログラム及び各種の初期値のデータや特別図柄表示装置８への表示内容のデータ等を記憶したＲＯＭ５３とが設けられており、これらは一つのＬＳＩとして一体にモールディングされている。
【００４０】
また、主制御基板４１には、音基板４３、図柄表示基板４４、払出制御基板４５、電飾基板４６、中継基板４７等とデータ信号の送受信を行うＩ／Ｏインターフェース５４が設けられている。このＩ／Ｏインターフェース５４には、遊技場管理用ホールコンピュータ（図示せず）にＲ／Ｗユニット５６を介してパチンコ機１の各種遊技情報を出力する出力ポート５５が接続されている。
【００４１】
さらには、音基板４３、図柄表示基板４４、払出制御基板４５、電飾基板４６、及び発射基板６６にも、ＣＰＵ（図示外）、ＲＡＭ（図示外）、ＲＯＭ（図示外）、Ｉ／Ｏインターフェース（図示外）が各々搭載されている。主制御基板４１はパチンコ機１の主制御を司り、電源基板４２は島側から供給された交流電流（２４Ｖ）を直流電流に変換して各基板に直流電流を供給し、音基板４３はパチンコ機１の効果音の発生を制御し、図柄表示基板４４は特別図柄表示装置８の制御を行い、払出制御基板４５は賞品球払出装置４９の制御を行い、電飾基板４６はパチンコ１の各電飾の発光態様を制御し、中継基板４７は、各センサーの配線の中継を行うよう構成されている。また、発射基板６６は、遊技球を発射する発射モーター６７の制御を行っている。
【００４２】
電飾基板４６には、ＬＥＤ６２、及び電飾ランプ６３が接続されている。また、図柄表示基板４４には特別図柄表示装置８が接続され、音基板４３には、スピーカー４８が接続され、また、払出制御基板４５には、賞品球払出装置４９が接続され、さらに、中継基板４７には、大入賞口１６の開閉扉１６ａを開放する大入賞口開放ソレノイド７０、特別図柄始動電動役物開放ソレノイド７１、特別図柄始動電動役物１５に入賞した遊技球を検出する始動口スイッチ７２、普通図柄始動ゲート１１，１２を通過した遊技球を検出する普通図柄作動スイッチ７３、大入賞口１６内のＶゾーンに入賞した遊技球を検出するＶスイッチ７４、大入賞口１６に入賞した遊技球数を計数するためのカウントスイッチ７５、普通入賞口１９，２０等に入賞して図示外の案内通路により入賞球集合部に集められた入賞球を検出する入賞口スイッチ７６とが接続されている。
【００４３】
また、電源基板４２は、主制御基板４１、音基板４３、図柄表示基板４４、払出制御基板４５、電飾基板４６、中継基板４７に各々接続されて、直流の安定化された電力が供給されるようになっている。尚、電源基板４２には、交流２４Ｖが供給されている。電源基板４２には、図示外のシリコンダイオードブリッジからなる整流器、電解コンデンサからなる平滑回路、レギュレータＩＣからなる安定化回路等が設けられており、安定化された直流の１２Ｖ及び５Ｖ等を供給できるようになっている。尚、図１５では、特に図示しないが、主制御基板４１、電源基板４２、音基板４３、図柄表示基板４４、払出制御基板４５、電飾基板４６、中継基板４７は、全て、アースラインで接続されている。
【００４４】
４．発明部分のハード部分の構成説明
次に、Ｒ／Ｗユニット５６の電気的構成について図１６を参照して説明する。図１６は、Ｒ／Ｗユニット５６の電気的回路構成を示すブロック図である。Ｒ／Ｗユニット５６には、各種の演算処理を行うＣＰＵ５６ａ、フラグやデータ等を一時的に記憶するＲＡＭ５６ｂ、制御プログラム及び各種の初期値のデータ等を記憶したＲＯＭ５６ｃ、識別用ＩＣタグ８６，１８６との通信履歴を記憶するＥＥＰＲＯＭ５６ｄ、Ｉ／Ｏインターフェース５６ｅ、タイマ５６ｆ、識別用ＩＣタグ８６，１８６へ呼出波を放出し、識別用ＩＣタグ８６，１８６から反射波を受信するＲＦ回路５６ｇ、ケーブル８７ｋを介して履歴管理用ＩＣタグ８７に接続するとともに、パチンコ機の主制御基板４１から各種信号を受信する入出力ポート５６ｉ、識別用ＩＣタグ８６，１８６の監視結果を表示する７セグメント表示器６９が搭載されている。
【００４５】
ＣＰＵ５６ａが、ＲＦ回路５６ｇからアンテナ６８，１６８を介して識別用ＩＣタグ８６，１８６に呼出波を発信し、識別用ＩＣタグ８６，１８６からの反射波の返信の有無に変化があれば、ＥＥＰＲＯＭ５６ｄに時刻を記憶する。反射波が返ってきた場合には、すぐにまた次の呼び出しを行い、反射波が返ってこない場合には、時刻を記憶して再び次の呼び出しを行う。このようにして、Ｒ／Ｗユニット５６は、ほぼ常時、識別用ＩＣタグ８６，１８６と通信を行って状態を確認している。また、Ｉ／Ｏインターフェース５６ｅは、入出力ポート５６ｉを介して履歴管理用ＩＣタグ８７の入出力ポート８７ｇ（図１８参照）や主制御基板４１に接続しており、履歴管理用ＩＣタグ８７からの送信要求により、Ｉ／Ｏインターフェース５６ｅから入出力ポート８７ｅに向けてＩＤコードや消失時刻、復帰時刻等の監視履歴データが送信される。また、Ｒ／Ｗユニット５６は、大当たり信号等の各種信号をパチンコ機１の主制御基板４１から入出力ポート５６ｉを経由して受信する。受信した大当たり信号は、大入賞口１６のの開閉扉１６ａの開放を監視する処理の中で正常な開放であるかどうかを照合するために使用される。
【００４６】
次に、識別用ＩＣタグ８６の電気的構成について図１７を参照して説明する。識別用ＩＣタグ１８６についても同様の構成となっている。図１７は、識別用ＩＣタグ８６の電気的回路構成を示すブロック図である。識別用ＩＣタグ８６には、Ｒ／Ｗユニット５６からの呼出波に応答して反射波を放出するＲＦ回路８６ａ、アンテナ８６ｂ、ＥＥＰＲＯＭ８６ｃが搭載されている。ＥＥＰＲＯＭ８６ｃには、識別用ＩＣタグ８６を他の識別用ＩＣタグ８６から識別するためのＩＤコード、メーカーＩＤ、ホールＩＤ等の識別データが上書消去禁止区域に記憶されている。Ｒ／Ｗユニット５６からアンテナ６８を介して呼出波が送られてくると、アンテナ８６ｂがこれを受信するが、この呼出波には搬送波成分が含まれており、これを受信してＲＦ回路８６ａで整流して直流電圧を得る。従って、識別用ＩＣタグ８６は、電池や外部電源を使用せずに必要な時にいつでもデータを発信することができる。データの発信は、ＥＥＰＲＯＭ８６ｃからＩＤコード等の識別データを読み出して反射波に乗せ、ＲＦ回路８６ａからアンテナ６８に向けて送信する。また、一旦Ｒ／Ｗユニット５６のＲＡＭ５６ｂに記憶された消失時刻や復帰時刻などのデータを後に受信してＥＥＰＲＯＭ８６ｃに記憶しておくこともできる。
【００４７】
次に、履歴管理用ＩＣタグ８７の電気的構成について図１８を参照して説明する。図１８は、履歴管理用ＩＣタグ８７の電気的回路構成を示すブロック図である。履歴管理用ＩＣタグ８７には、ＰＤＡ１００からの呼出波を受信し、監視履歴データを乗せた反射波を放出するＲＦ回路８７ｅ，ＲＦ回路８７ｅに接続したアンテナ８７ｂ、ＲＦ回路８７ｅで受信した監視履歴データ送信要求を受けてＲ／Ｗユニット５６に監視履歴データの送信を要求し、各種の制御を行うＣＰＵ８７ｃ，Ｒ／Ｗユニット５６から監視履歴データを受信する入出力ポート８７ｇ，Ｉ／Ｏインターフェース８７ｆ，ＥＥＰＲＯＭ８７ｄを備えている。ＲＦ回路８７ｅ，ＣＰＵ８７ｃ，ＥＥＰＲＯＭ８７ｄはＩＣチップ８７ａとして一体に形成されている。ＥＥＰＲＯＭ８７ｄには、履歴管理用ＩＣタグ８７を他の履歴管理用ＩＣタグ８７から識別するためのＩＤコード、メーカーＩＤ、ホールＩＤ等の識別データが上書消去禁止区域に記憶されている。ＰＤＡ１００から呼出波が送られてくると、アンテナ８７ｂがこれを受信するが、この呼出波には搬送波成分が含まれており、これを受信してＲＦ回路８７ｅで整流して直流電圧を得る。従って、履歴管理用ＩＣタグ８７は、電池や外部電源を使用せずに必要な時にいつでもデータを発信することができる。データの発信は、入出力ポート８７ｇからＩ／Ｏインターフェース８７ｆを経由して受信した監視履歴データを反射波に乗せ、ＲＦ回路８７ｅからＰＤＡ１００のアンテナ１０２に向けて送信する。
【００４８】
次に、ＰＤＡ１００の電気的構成について図１９を参照して説明する。図１９はＰＤＡ１００の電気的構成を示すブロック図である。図１９に示すように、ＰＤＡ１００は、各種の演算を行うＣＰＵ１１１と、フラグやデータ等を一時的に記憶するＲＡＭ１１３と、制御プログラム及び各種の初期値のデータ等を記憶したＲＯＭ１１２と、各種データを記憶するフラッシュメモリ１１４と、方向キー１０５やメニューボタン１０４（図１４参照）により構成される入力キー１０６と、Ｒ／Ｗユニット５６とデータの送受信を行うためのＩ／０インターフェース１０９と、パソコン等外部機器と通信するための入出力回路１０７と、赤外線ポートから出力される赤外線により外部機器と通信する赤外線通信回路１０８と、ＲＦ回路１１０とアンテナ１０２から構成される読取ユニット１０１とから構成されている。ＲＦ回路１１０及びアンテナ１０２は、履歴管理用ＩＣタグ８７に対して監視履歴データの送信を要求する信号を送信したり、履歴管理用ＩＣタグ８７から送信された監視履歴データを受信するためのものである。
【００４９】
５．発明部分の動作説明
次に、Ｒ／Ｗユニット５６で行われる、基板ボックス８０の状態を監視する監視処理について、図２０のフローチャートを参照して説明する。図２０は、基板ボックス８０の状態を監視する監視処理のフローチャートである。Ｒ／Ｗユニット５６は、遊技場の営業中・夜間を問わず常時基板ボックス８０の監視処理を行っている。本実施形態では、Ｒ／Ｗユニット５６は、島電源から電源供給を受けており、島電源は夜間も電源が投入されたままとなっている。
【００５０】
まず、Ｒ／Ｗユニット５６内のＣＰＵ５６ａは、ＲＦ回路５６ｇからアンテナ６８を介して、識別用ＩＣタグ８６に呼出波を送信してポーリングし（Ｓ１）、識別用ＩＣタグ８６が反射波にＩＤコード（識別データ）を乗せて返信してくるのを待つ。次に、識別用ＩＣタグ８６から設定時間内に反射波が返ってきたかどうかを判断する（Ｓ３）。本実施形態では、待ち時間を５０ミリ秒に設定している。
【００５１】
識別用ＩＣタグ８６から設定時間内に真正ＩＤコードが含まれた反射波が返信され、かつ、その応答が前回から継続していれば、基板ボックス８０は正常な状態と判定できる。この判定は、具体的には、以下のように処理を行う。設定時間内に応答が返ってきた場合（Ｓ３：ＹＥＳ）、返って来たＩＤコードが正しいものであるかどうかを判断し（Ｓ１３）、ＩＤコードが正しい場合には（Ｓ１３：ＹＥＳ）、ＩＤエラーフラグがＯＮにされているかどうかを判断する（Ｓ２３）。ＩＤエラーフラグは、前回から継続して正しいＩＤが返信されてきたかどうかをチェックするものである。ＩＤエラーフラグがＯＮになっている場合には（Ｓ２３：ＹＥＳ）、今回正しいＩＤコードに戻ったことを示しているので、ＩＤエラーフラグがをＯＦＦにする（Ｓ２５）。ＩＤエラーフラグがＯＦＦの場合には（Ｓ２３：ＮＯ）、前回から継続して正しいＩＤが返信されてきている。次に、消失フラグがＯＮになっているかどうかを判断する（Ｓ２７）。消失フラグは、前回設定時間内に識別用ＩＣタグ８６から応答があったかどうかをチェックするものである。消失フラグがＯＦＦになっていれば（Ｓ２７：ＮＯ）、前回も設定時間内に識別用ＩＣタグ８６からＩＤコードが返信されている。従って、前回から継続して設定時間内に正しいＩＤコードが返信されているので、基板ボックス８０は正常と判定され、その後の処理は行われず、そのままＳ３５に進む。
【００５２】
時間内に応答が帰って来なかった場合は（Ｓ３：ＮＯ）、故障でないとすれば、識別用ＩＣタグ８６がアンテナ６８から通信範囲外まで離れたためであると考えられるから、識別用ＩＣタグ８６が取り付けられた基板ボックス８０の上蓋部８０ａが開放された可能性がある。この時点で基板ボックス８０の状態は異常であると判定されるが、この異常な状態が継続しているかどうかを次に判断する。異常な状態が継続していれば、後述のように時刻の記憶が既に行われており、状態の変化がない場合に重ねて記憶するまでもない。これにより、記憶容量の節約になる。具体的には、ＥＥＰＲＯＭ５６ｄに記憶されている消失フラグがＯＦＦにされているかどうかを判断する（Ｓ５）。消失フラグは、識別用ＩＣタグからの応答が返ってこない間はＯＮに、応答が返ってくる間はＯＦＦに設定される。ここで消失フラグがＯＦＦでなくＯＮになっている場合には（Ｓ５：ＮＯ）、前回の呼び出しから継続して応答がない場合であるから、何らその後の処理は行わず、Ｓ３５に進む。
【００５３】
消失フラグがＯＦＦになっている場合には（Ｓ５：ＹＥＳ）、今回はじめて応答がなくなったことを示しているので、状態に変化が生じたと判断して、識別用ＩＣタグにポーリングした時刻を消失時刻としてＥＥＰＲＯＭ５６ｄに記憶する（Ｓ７）。そして、消失フラグをＯＮにする（Ｓ９）。このようにして、異常が発生した時点で履歴を記憶し、ＰＤＡ１００に要求されたときに監視履歴データデータを送信できるようにしている。
【００５４】
基板ボックス８０が開放された後、再び閉鎖された場合には、いったん応答がなくなった識別用ＩＣタグ８６から再び応答が返ってくるようになる。このような状態を判定するには、以下のような処理を行う。まず、設定時間内に（Ｓ３：ＹＥＳ）、正しいＩＤコードが返ってきても（Ｓ１３：ＹＥＳ）、消失フラグがＯＮになっている場合には（Ｓ２７：ＹＥＳ）、前回応答がなかったものが今回応答してきたことを示すので、状態に変化が生じたと判断して、今回の応答時刻を復帰時刻としてＥＥＰＲＯＭ５６ｄに記憶する（Ｓ２９）。応答がなくなった時点で消失時刻を記憶しており、今回復帰時刻も記憶することで基板ボックス８０が開放されていた時間を算出することができる。そして、消失フラグをＯＦＦにする（Ｓ３１）。
【００５５】
設定時間内に応答が返ってきたが（Ｓ３：ＹＥＳ）、返って来たＩＤコードが正しいものでなければ（Ｓ１３：ＮＯ）、識別用ＩＣタグ８６の付け替えによる不正が行われた可能性がある。この時点で基板ボックス８０の状態は異常であると判定されるが、応答が得られなかった場合と同様に、この異常な状態が継続しているかどうかを次に判断する。すなわち、ＩＤエラーフラグがＯＦＦにされているかどうかを判断する（Ｓ１５）。ＩＤエラーフラグは、ＩＤコードが正しくない間はＯＮに設定される。ここでＩＤエラーフラグがＯＦＦでなくＯＮになっている場合には（Ｓ１５：ＮＯ）、前回から継続してＩＤコードが正しくない場合であるので、何らその後の処理は行わず、Ｓ３５に進む。
【００５６】
ＩＤエラーフラグがＯＦＦになっている場合には（Ｓ１５：ＹＥＳ）、今回はじめてＩＤコードが正しくなくなったことを示しているので、ポーリング時刻をＩＤエラー発生時刻としてＥＥＰＲＯＭ５６ｄに記憶する（Ｓ１７）。そして、ＩＤエラーフラグをＯＮにする（Ｓ１９）。
【００５７】
以上の各処理が終了した後、識別用ＩＣタグ監視処理を終了するかどうかを判断し（Ｓ３５）、終了であれば（Ｓ３５：ＹＥＳ）処理を終了し、終了でなければ（Ｓ３５：ＮＯ）Ｓ１に戻って処理を継続する。
【００５８】
以上のように処理を行うことにより、前回の呼び出しから継続して設定時間内に真正ＩＤコードが返信されてくれば正常と判定して再びＩＤコードのポーリングに戻る（Ｓ１）。また、設定時間内に応答がない場合、設定時間内に応答があっても正しいＩＤコードでない場合は、基板ボックス８０に異常ありと判定するが、いずれの場合もその状態が前回から継続しているかどうかをチェックし、今回初めて状態変化が起こっている場合のみ時刻の記憶を行う。さらに、設定時間内に真正ＩＤコードが返信されてきても、前回が応答のなかった場合には、正常であっても状態の変化があったとして時刻の記憶を行う。記憶を行う場合には、一連の処理が終了した後すぐにＳ１に戻って再びＩＤコードを呼び出す。このように常時識別用ＩＣタグ８６を呼び出して状態を判定し、判定結果に基づいて必要な処理を行うことによって、最小限の記憶容量で基板ボックス８０の異常をチェックし、状態の変化の履歴を記憶させて効率よく監視を行うことができる。
【００５９】
次に、Ｒ／Ｗユニット５６で行われる、アタッカ部材１６０の状態を監視する監視処理について、図２１のフローチャートを参照して説明する。図２１は、アタッカ部材１６０の状態を監視する監視処理のフローチャートである。処理の流れはほとんど基板ボックス８０の監視処理と同様である。ただし、アタッカ部材１６０は、基板ボックス８０と異なり、大当たり時には大入賞口１６の開閉扉１６ａが正常に開放されるので、主制御基板４１から大当たり信号をもらって、正常な開放かどうかを照合する必要がある。また、営業終了後、パチンコ機１の電源が落とされた後は、大当たりを装った大入賞口１６の開閉扉１６ａの不正開放は考えにくいので、アタッカ部材１６０の監視処理は行われない。
【００６０】
まず、Ｒ／Ｗユニット５６内のＣＰＵ５６ａは、ＲＦ回路５６ｇからアンテナ１６８を介して、識別用ＩＣタグ１８６に呼出波を送信してポーリングし（Ｓ１０１）、識別用ＩＣタグ１８６がＩＤコード（識別データ）を返信してくるのを待つ。次に、識別用ＩＣタグ１８６から設定時間内に反射波が返ってきたかどうかを判断する（Ｓ１０３）。本実施形態では、待ち時間を５０ミリ秒に設定している。
【００６１】
識別用ＩＣタグ１８６から設定時間内に真正ＩＤコードが返信され、かつ、その応答が前回から継続していれば、大入賞口１６の開閉扉１６ａは開放されていないと判定できる。この判定は、具体的には、以下のように処理を行う。設定時間内に応答が返ってきた場合は（Ｓ１０３：ＹＥＳ）、返って来たＩＤコードが正しいものであるかどうかを判断し（Ｓ１１３）、ＩＤコードが正しい場合には（Ｓ１１３：ＹＥＳ）、ＩＤエラーフラグがＯＮにされているかどうかを判断する（Ｓ１２３）。ＩＤエラーフラグは、前回から継続して正しいＩＤが返信されてきたかどうかをチェックするものである。ＩＤエラーフラグがＯＮになっている場合には（Ｓ１２３：ＹＥＳ）、今回正しいＩＤコードに戻ったことを示しているので、ＩＤエラーフラグがをＯＦＦにする（Ｓ１２５）。ＩＤエラーフラグがＯＦＦの場合には（Ｓ１２３：ＮＯ）、前回から継続して正しいＩＤが返信されてきている。次に、消失フラグがＯＮになっているかどうかを判断する（Ｓ１２７）。消失フラグは、前回設定時間内に識別用ＩＣタグ１８６から応答があったかどうかをチェックするものである。消失フラグがＯＦＦになっていれば（Ｓ１２７：ＮＯ）、前回も設定時間内に識別用ＩＣタグ１８６からＩＤコードが返信されている。従って、前回から継続して設定時間内に正しいＩＤコードが返信されているので、大入賞口１６の開閉扉１６ａは開放されていないと判定され、何ら記憶も行われない。そのままＳ１３５に進む。
【００６２】
時間内に応答が帰って来なかった場合は（Ｓ１０３：ＮＯ）、故障でなければ、識別用ＩＣタグ１８６が取り付けられた開閉扉１６ａが開放されたと考えられるので、次に、主制御基板４１の出力ポート５５から入出力ポート５６ｉに大当たり信号を受信しているかどうかを判断する（Ｓ１０４）。大当たり信号を受信していれば（Ｓ１０４：ＹＥＳ）、大当たりによる大入賞口１６の開閉扉１６ａの正常な開放であるから、そのままＳ１３５に進む。大当たり信号を受信していなければ（Ｓ１０４：ＮＯ）、この時点で大入賞口１６の状態は異常であると判定されるが、この異常な状態が継続しているかどうかを次に判断する。異常な状態が継続していれば、後述のように時刻の記憶が既に行われており、状態の変化がない場合に重ねて記憶するまでもない。これにより、記憶容量の節約になる。具体的には、ＥＥＰＲＯＭ５６ｄに記憶されている消失フラグがＯＦＦにされているかどうかを判断する（Ｓ１０５）。消失フラグは、識別用ＩＣタグからの応答が返ってこない間はＯＮに、応答が返ってくる間はＯＦＦに設定される。ここで消失フラグがＯＦＦでなくＯＮになっている場合には（Ｓ１０５：ＮＯ）、前回の呼び出しから継続して応答がない場合であるから、何らその後の処理は行わず、Ｓ１３５に進む。
【００６３】
消失フラグがＯＦＦになっている場合には（Ｓ１０５：ＹＥＳ）、今回はじめて応答がなくなったことを示しているので、状態に変化が生じたと判断して、識別用ＩＣタグ１８６にポーリングした時刻を消失時刻としてＥＥＰＲＯＭ５６ｄに記憶する（Ｓ１０７）。そして、消失フラグをＯＮにする（Ｓ１０９）。このようにして、異常が発生した時点で履歴を記憶し、ＰＤＡ１００に要求されたときに監視履歴データを送信できるようにしている。
【００６４】
大入賞口１６の開閉扉１６が開放された後、再び閉鎖された場合には、いったん応答がなくなった識別用ＩＣタグ１８６から再び応答が返ってくるようになる。このような状態を判定するには、以下のような処理を行う。まず、設定時間内に（Ｓ３：ＹＥＳ）、正しいＩＤコードが返ってきても（Ｓ１３：ＹＥＳ）、消失フラグがＯＮになっている場合には（Ｓ１２７：ＹＥＳ）、前回応答がなかったものが今回応答してきたことを示すので、状態に変化が生じたと判断して、今回の応答時刻を復帰時刻としてＥＥＰＲＯＭ５６ｄに記憶する（Ｓ１２９）。応答がなくなった時点で消失時刻を記憶しており、今回復帰時刻も記憶することで大入賞口１６の開閉扉１６ａが開放されていた時間を算出することができる。そして、消失フラグをＯＦＦにする（Ｓ１３１）。
【００６５】
設定時間内に応答が返ってきたが（Ｓ１０３：ＹＥＳ）、返って来たＩＤコードが正しいものでなければ（Ｓ１１３：ＮＯ）、識別用ＩＣタグ１８６の付け替えによる不正が行われた可能性がある。この時点で大入賞口１６の状態は異常であると判定されるが、応答が得られなかった場合と同様に、この異常な状態が継続しているかどうかを次に判断する。すなわち、ＩＤエラーフラグがＯＦＦにされているかどうかを判断する（Ｓ１１５）。ＩＤエラーフラグは、ＩＤコードが正しくない間はＯＮに設定される。ここでＩＤエラーフラグがＯＦＦでなくＯＮになっている場合には（Ｓ１１５：ＮＯ）、前回から継続してＩＤコードが正しくない場合であるので、何らその後の処理は行わず、Ｓ１３５に進む。
【００６６】
ＩＤエラーフラグがＯＦＦになっている場合には（Ｓ１１５：ＹＥＳ）、今回はじめてＩＤコードが正しくなくなったことを示しているので、ポーリング時刻をＩＤエラー発生時刻としてＥＥＰＲＯＭ５６ｄに記憶する（Ｓ１１７）。そして、ＩＤエラーフラグをＯＮにする（Ｓ１１９）。
【００６７】
以上の各処理が終了した後、識別用ＩＣタグ監視処理を終了するかどうかを判断し（Ｓ１３５）、終了であれば（Ｓ１３５：ＹＥＳ）処理を終了し、終了でなければ（Ｓ１３５：ＮＯ）Ｓ１０１に戻って処理を継続する。
【００６８】
以上のように処理を行うことにより、前回の呼び出しから継続して設定時間内に真正ＩＤコードが返信されてくれば正常と判定して再びＩＤコードの呼び出しに戻る（Ｓ１０１）。また、設定時間内に応答がなく、大当たりでない場合、又は、設定時間内に応答があっても正しいＩＤコードでない場合は、大入賞口１６の開閉扉１６ａに異常ありと判定するが、いずれの場合もその状態が前回から継続しているかどうかをチェックし、今回初めて状態変化が起こっている場合のみ時刻の記憶を行う。さらに、設定時間内に真正ＩＤコードが返信されてきても、前回が大当たりでないのに応答のなかった場合には、正常であっても状態の変化があったとして時刻の記憶を行う。記憶を行う場合には、一連の処理が終了した後すぐにＳ１０１に戻って再びＩＤコードを呼び出す。このように常時識別用ＩＣタグを呼び出して状態を判定し、判定結果に基づいて必要な処理を行うことによって、最小限の記憶容量で大入賞口１６の開閉扉１６の開閉異常をチェックし、状態の変化の履歴を記憶させて効率よく監視を行うことができる。
【００６９】
次に、ＰＤＡ１００で行われる処理について図２２のフローチャートに基づいて説明する。図２２は、ＰＤＡ１００における監視履歴データ読取処理の概略を示すフローチャートである。
【００７０】
遊技場係員はＰＤＡ１００を用いて、履歴管理用ＩＣタグ８７からＲ／Ｗユニット５６が記憶している監視履歴データの受信とその監視履歴データのクリアを行う。ＰＤＡ１００による監視履歴データの読取は、毎朝営業開始前に行うようにすれば、夜間の監視結果を営業開始前に把握できて効果的である。もちろん、遊技場の都合で随時行うことができる。まず、係員がパチンコ機１の前面で、アンテナ１０２の角度を調節して履歴管理用ＩＣタグ８７に向けて指示を送信する。ＰＤＡ１００は、係員の入力を入力キー１０６から受け付けると、それが監視履歴データ送信要求かどうかを判断する（Ｓ２０１）。監視履歴データ送信要求の場合には（Ｓ２０１：ＹＥＳ）、履歴管理用ＩＣタグ８７に監視履歴データの送信を要求する信号を発信する（Ｓ２０３）。履歴管理用ＩＣタグ８７への要求は、ＲＦ回路１１０からアンテナ１０２を介して無線電波を送信する。
【００７１】
次に、履歴管理用ＩＣタグ８７がＲ／Ｗユニット５６から読み出した監視履歴データを受信する（Ｓ２０５）。監視履歴データは、前回の送信から今回の送信要求までの間にエラーが発生していた場合のみ履歴として記憶されているので、このようなエラー履歴を受信した場合には（Ｓ２０７：ＹＥＳ）、その履歴をフラッシュメモリ１１４に記憶し（Ｓ２０９）、表示パネル１０３にそのエラーの内容を表示する（Ｓ２１１）。監視履歴データは識別用ＩＣタグ８６，１８６の両方の監視履歴を含んでいるので、「基板ボックス８０開放エラー」、「大入賞口不正開放」等のような表示が行われる。エラー履歴が表示された場合には、ＲＯＭのすり替え等の不正が行われた形跡がないか目視により確認し、必要な処置を行う。エラー履歴を受信しなかった場合には（Ｓ２０７：ＮＯ）、そのままＳ２１３に進む。
【００７２】
監視履歴データの読み取りは、毎朝行うのが効果的であるが、数日〜１週間に１度でもよい。また、監視履歴データのクリアは１週間〜数週間に１度等のタイミングで定期的に行えばよい。監視履歴データのクリアは、Ｒ／Ｗユニット５６のＥＥＰＲＯＭ５６ｅに記憶されている過去の監視履歴データをクリアして、今後の監視履歴の記憶に差し支えないようにするものである。予め定めた期間を経過した後、クリア指令を受けるとクリアされ、新しい監視履歴データが記憶できるように構成されている。監視履歴データをＰＤＡ１００により読み取り、必要な処理を行った後は、Ｒ／Ｗユニット５６内に履歴を記憶させておく必要はないので、定期的にクリア処理を行うことにより、少ない記憶容量で構成することができる。入力キー１０６から受け付けたのが監視履歴データ送信要求でない場合には（Ｓ２０１：ＮＯ）、監視履歴データクリア要求かどうかを判断する（Ｓ２１５）。監視履歴データクリア要求でなければ（Ｓ２１５：ＮＯ）、読取処理以外のＰＤＡの処理要求であるから、処理を終了する。監視履歴データクリア要求であれば（Ｓ２１７：ＹＥＳ）、履歴管理用ＩＣタグ８７に監視履歴データのクリアを要求する信号を発信する（Ｓ２１７）。次に、履歴管理用ＩＣタグ８７が監視履歴データ送信要求信号を受け取ると、管理者権限の有無を問い合わせてくるので、パスワードやＩＤ等で管理者権限を送信する（Ｓ２１９）。監視履歴データのクリアを要求すると同時に管理者権限も送信するようにしてもよい。管理者権限は、監視履歴データを取り扱う権限をその係員が有しているかどうかをチェックするものであり、履歴管理用ＩＣタグ８７のＥＥＰＲＯＭ８７ｄ内にパスワードやＩＤ等の管理者権限データベースを記憶し、入力されたパスワードや係員のＩＤとデータベースに記憶されたパスワードやＩＤとを、履歴管理用ＩＣタグ８７において照合して判断する。履歴管理用ＩＣタグ８７により管理者権限が認証されなかった場合には（Ｓ２２１：ＮＯ）、処理を終了する。管理者権限が認証された場合には（Ｓ２２１：ＹＥＳ）、履歴管理用ＩＣタグ８７がＲ／Ｗユニット５６の監視履歴データをクリアするように指示し、クリア終了通知を送信してくるのを待って受信する（２２３）。
【００７３】
次いで、処理を終了するかどうかを判断し（Ｓ２１３）、終了の場合は（Ｓ２１３：ＹＥＳ）、全体の処理を終了し、終了でなければ（Ｓ２１３：ＮＯ）、Ｓ２０１に戻る。
【００７４】
次に、履歴管理用ＩＣタグ８７で行われる処理について、図２３に基づいて説明する。図２３は、履歴管理用ＩＣタグ８７の処理を示すフローチャートである。履歴管理用ＩＣタグ８７では、ＰＤＡ１００からの要求を受けて、Ｒ／Ｗユニット５６のＥＥＰＲＯＭ５６ｄに記憶されている監視履歴データを読み出して送信する処理、Ｒ／Ｗユニット５６のＥＥＰＲＯＭ５６ｄに記憶されている監視履歴データのクリアを指示する処理を行う。まず、アンテナ８７ｂがＰＤＡ１００のＲＦ回路１１０から送られてきた呼出波を受信すると（Ｓ３００）、その信号が監視履歴データ送信要求かどうかを判断する（Ｓ３０１）。監視履歴データ送信要求の場合には（Ｓ３０１：ＹＥＳ）、Ｒ／Ｗユニット５６に対してケーブルを介して監視履歴データを送るように要求し（Ｓ３０７）、Ｒ／Ｗユニット５６がＥＥＰＲＯＭ５６ｄから監視履歴データを読み出して送信してくるのを入出力ポート８７ｇから受信する（Ｓ３０９）。そして、受信した監視履歴データを反射波に乗せてＲＦ回路８７ｅからアンテナ８７ｂを介してＰＤＡ１００に送信する（Ｓ３１１）。管理者権限が認められなければ（Ｓ３０７：ＮＯ）、処理を終了する。
【００７５】
ＰＤＡ１００のＲＦ回路１１０から送られてきた信号が、監視履歴データ送信要求でなければ（Ｓ３０１：ＮＯ）、監視履歴データのクリア要求かどうかを判断する（Ｓ３１５）。監視履歴データのクリア要求でなければ（Ｓ３１５：ＮＯ）、処理を終了する。監視履歴データのクリア要求であれば（Ｓ３１５：ＹＥＳ）、ＰＤＡ１００に対してパスワード等の管理者権限の送信を要求する（Ｓ３１７）。管理者権限は、監視履歴データを取り扱う権限をその係員が有しているかどうかをチェックするものであり、履歴管理用ＩＣタグ８７のＥＥＰＲＯＭ８７ｄ内にパスワードやＩＤ等の管理者権限データベースを記憶し、入力されたパスワードや係員のＩＤとデータベースに記憶されたパスワードやＩＤとを照合して判断する。送信されてきたパスワード等で管理者権限が認められれば（Ｓ３１９：ＹＥＳ）、Ｒ／Ｗユニット５６に対してＥＥＰＲＯＭ５６ｄに記憶されている監視履歴データのうち、期限を超過しているものについてデータをクリアするように指示する（Ｓ３２１）。そして、Ｒ／Ｗユニット５６がケーブルを介して監視履歴データクリア終了通知を送信してくるのを待って入出力ポート８７ｇから受信する（Ｓ３２３）。次に、ＰＤＡ１００に対してＲＦ回路８７ｅからアンテナ８７ｂを介して監視履歴データクリア終了通知を送信する（Ｓ３２５）。
【００７６】
次いで、処理を終了するかどうかを判断し（Ｓ３１３）、終了の場合は（Ｓ３１３：ＹＥＳ）、全体の処理を終了し、終了でなければ（Ｓ３１３：ＮＯ）、Ｓ３０１に戻って処理を継続する。
【００７７】
７．変形例の説明
尚、本発明は、以上詳述した実施の形態に限定されるものではなく、種々の変更が可能である。本実施の形態の変形例について、以下に説明する。例えば、上記実施形態では、履歴管理用ＩＣタグ８７は、ＰＤＡ１００から監視履歴データの送信指示信号を受け取ると、その時点でＲ／Ｗユニット５６に通知し、Ｒ／ＷユニットからＥＥＰＲＯＭ５６ｄに記憶された監視履歴データを受信し、それをＰＤＡ１００に送信しているが、履歴管理用ＩＣタグ８７に電源を持たせる構成とすれば、ＥＥＰＲＯＭ５６ｄに記憶する代わりに監視履歴データをその都度履歴管理用ＩＣタグ８７に送信して履歴管理用ＩＣタグ８７内のＥＥＰＲＯＭ８７ｄに記憶しておき、読み取り指示を受けた場合にＥＥＰＲＯＭ８７ｄから監視履歴データを読み出して送信するように構成してもよい。この場合、自身に記憶されているデータを送信するので、さらに高速に処理を行うことができる。
【００７８】
また、履歴管理用ＩＣタグ８７の取り付け場所は、ガラス枠１３に限らず、上皿５、下皿６等パチンコ機１の前面側に設けるのであれば効果は同様である。また、パチンコ機１本体に取り付けなくても、島設備等に設置してもよい。このように前面側に履歴管理用ＩＣタグ８７を設置すると、パチンコ機１の前面で監視履歴を参照するため、エラーがあった場合にはすぐに対処することができる。
【００７９】
Ｒ／Ｗユニット５６は、センターカバー９０の外側に限らず、パチンコ機１のその他の場所に設置してもよいし、島設備に備え付けるようにしてもよい。また、パチンコ機１に１台のＲ／Ｗユニット５６を用意するのではなく、島に１台又は複数台のＲ／Ｗユニット５６を設け、複数のパチンコ機１に設置された識別用ＩＣタグを監視するように構成してもよい。さらに、Ｒ／Ｗユニット５６は、島設備から電源供給を受けるのではなく、主制御基板４１やバックアップ電源を持つ電源基板４２等のパチンコ機１側から電源供給を受けるように構成してもよい。パチンコ機１の主制御基板４１から電源供給を受けるように構成した場合には、営業終了後パチンコ機１の電源が落とされるとパチンコ機１のバックアップ電源から電源をもらって監視処理を継続することができる。また、Ｒ／Ｗユニット５６の中にバックアップ電源を持つように構成し、営業中に充電を行い、閉店後はそのバックアップ電源を使用するようにしてもよい。
【００８０】
上記実施形態では可動部材としてアタッカ部材（特別電動役物）に識別用ＩＣタグを設置しているが、アタッカ部材に限らず普通電動役物等の可変入賞装置に識別用ＩＣタグを設置してもよい。アタッカ部材に設置した場合と同様に、不正に可変入賞装置が開放されるのを監視することができる。
【００８１】
識別用ＩＣタグ８６は、上記実施形態のような薄い小型長方形の物に限らず、例えばコイン型やスティック型等、形状や大きさを自由に構成することができる。また、上記実施形態のような電磁誘導方式に限定されず、電磁結合方式やマイクロ波方式、光方式等、様々な方式を利用可能である。さらに、識別用ＩＣタグ８６は、上蓋部８０ａの裏面に固着するのでなく、ＬＳＩ５０のモールディング部に埋め込んで設置してもよい。このようにすると、開閉の痕跡だけでなく、ＲＯＭのすり替えについても発見できる。また、識別用ＩＣタグは上蓋部内に一体成型してもよく、一旦貼り付けたら剥がすと破壊されるように構成してもよい。
【００８２】
アンテナ６８は、主制御基板４１上の右下部に回路パターン作成と同時にプリントパターンとして形成してもよい。主制御基板４１上にプリントパターンとして形成することで、部品点数を削減することができる。プリントパターンとして形成されるアンテナ６８の位置や形状は右下部位置や渦巻き形状に限らず、基板の外周に沿って渦巻きを数周形成してプリントパターンに形成するようなものでもよい。この場合には、識別用ＩＣタグ８６が主制御基板４１上のどこに配置されてもアンテナ６８との通信を確保することができる。さらに、大入賞口１６の開閉扉１６ａに取り付けられる識別用ＩＣタグ１８６と通信するアンテナ１６８は、ガラス枠１３側やガラス板に取り付けてもよい。尚、識別用ＩＣタグとアンテナの通信可能距離は、上記実施形態のような約５ｍｍに限定されず、識別用ＩＣタグの監視場所により任意に調節可能である。
【００８３】
上記実施の形態における監視処理では、識別用ＩＣタグから反射波が返答されてくるのを待つ待ち時間を５０ミリ秒に設定しているが、これに限定されず、リアルタイムに監視できる数ミリ秒〜数秒の範囲で変更可能である。また、消失時刻と復帰時刻をＲ／Ｗユニット５６のＥＥＰＲＯＭ５６ｄに記憶するように構成しているが、Ｒ／Ｗユニット５６内にハードディスクを設けて記憶させてもよいし、光メディア等の他の記憶媒体を使用してもよい。また、ＲＡＭ５６ｂに一旦記憶し、データを履歴管理用ＩＣタグ８７に送信し、ＥＥＰＲＯＭ８７ｄに記憶させて、その後ＲＡＭ５６ｂをクリアするように構成してもよい。このように構成すれば、ＥＥＰＲＯＭ５６ｄは不要となる。また、応答がなかった場合に、ポーリング時刻を消失時刻としてＲ／Ｗユニット５６のＲＡＭ５６ｂに一旦記憶しておき、復帰した場合に復帰時刻と合わせて識別用ＩＣタグ８６のＥＥＰＲＯＭ８６ｃに記憶させるようにしてもよい。さらに、識別用ＩＣタグ８６の内部に電源を持たせ、ＥＥＰＲＯＭ５６ｄに記憶すると同時にＥＥＰＲＯＭ８６ｃに記憶したり、ＥＥＰＲＯＭ５６ｄに記憶する代わりにＥＥＰＲＯＭ８６ｃに記憶するようにしてもよい。このようにして、履歴管理用ＩＣタグ８７を用いず、監視履歴データを各識別用ＩＣタグ８６に記憶する構成としてもよい。
【００８４】
また、ＰＤＡ１００による監視履歴データ読取処理において、上記実施形態では、監視履歴データのクリアを行う場合のみ係員の管理者権限を入力・送信させ、履歴管理用ＩＣタグ８７から認証を得るように構成しており、監視履歴データの送信を要求する場合は特にＩＤやパスワード等で管理者の認証を必要としていないが、監視履歴データの送信要求の際にも管理者権限を必要とするように構成してもよい。監視履歴データの送信要求を受けて履歴管理用ＩＣタグ８７から管理者権限の入力・送信を要求させてもよいし、監視履歴データの送信要求とともに管理者権限も入力して送信してもよい。
【００８５】
７．実施の形態の効果
以上説明したように、本実施形態の管理システムによれば、パチンコ機１の前面側に履歴管理用ＩＣタグ８７を設置し、基板ボックス８０と大入賞口１６の開閉扉１６ａに識別用ＩＣタグを設置し、Ｒ／Ｗユニット５６からほぼ常時にそれぞれの識別用ＩＣタグに呼出波を送信して識別用ＩＣタグの識別データを乗せた反射波を応答させ、応答がなくなった場合（消失）や、再び応答するようになった場合（復帰）にその識別用ＩＣタグのＩＤコードと消失時刻・復帰時刻をＲ／Ｗユニット５６に記憶し、ＰＤＡ１００により履歴管理用ＩＣタグ８７に対して監視履歴データの送信要求がなされると履歴管理用ＩＣタグ８７を介して監視履歴データを出力するように構成している。そして、このようなデータ送信を受けたＰＤＡ１００では、この内容を表示パネル１０３に表示して、係員等の注意を促し、不正行為の早期発見や防止に役立てることができる。
【００８６】
【発明の効果】
上記説明から明らかなように、請求項１に記載の監視システムによれば、呼出波送信手段が呼出波を送信して識別用ＩＣタグを呼び出すと、識別用ＩＣタグは識別データを含む反射波を返すので、この通信が可能であるか否か、識別データが真正であるか否かにより正常か異常かを判定することができる。識別データを含む無線通信によるため、光や電気等に比べて改竄やいわゆる「なりすまし」が難しい。従って、常には識別用ＩＣタグをアンテナから通信可能な位置に設置しておけば、識別用ＩＣタグを固着した部材が通信可能な範囲外へ移動する等した場合には、反射波が受信できなくなり、通信不能となる。また、通信不能状態から、通信可能範囲内の位置へ再び復帰すると反射波が受信できるようになる。このため、目視によらず部材の開放や移動等装置の状態の変化を検知することができる。このような通信不能と復帰を記憶させて履歴に残すようにすれば、正常な場合と不正な場合とを区別することもでき、効果的に監視を行うことができる。
【００８７】
さらに、ＩＣタグ監視装置が識別用ＩＣタグを監視した履歴を識別用ＩＣタグ自身に記憶するため、ＰＤＡや携帯型の読取装置等を用いて履歴管理用ＩＣタグから監視履歴データを非接触で取り出すことができる。このように構成することで、ＩＣタグ監視装置が物理的にどこに設置されていても、簡便・効率的に監視履歴を取り出して管理することが可能になる。
【００８８】
請求項２に記載の監視システムによれば、請求項１に記載の発明の効果に加え、監視履歴読取装置により、監視履歴データを非接触により読み取り、その場で監視履歴データを確認できるほか、監視履歴読取装置からネットワークを介してコンピュータに監視履歴データを送信して管理する等効果的に監視を行うことができる。
【００８９】
請求項３に記載の監視システムによれば、呼出波送信手段が呼出波を送信して識別用ＩＣタグを呼び出すと、識別用ＩＣタグは識別データを含む反射波を返すので、この通信が可能であるか否か、識別データが真正であるか否かにより正常か異常かを判定することができる。識別データを含む無線通信によるため、光や電気等に比べて改竄やいわゆる「なりすまし」が難しい。従って、常には識別用ＩＣタグをアンテナから通信可能な位置に設置しておけば、識別用ＩＣタグを固着した部材が通信可能な範囲外へ移動する等した場合には、反射波が受信できなくなり、通信不能となる。また、通信不能状態から、通信可能範囲内の位置へ再び復帰すると反射波が受信できるようになる。このため、目視によらず部材の開放や移動等装置の状態の変化を検知することができる。このような通信不能と復帰を記憶させて履歴に残すようにすれば、正常な場合と不正な場合とを区別することもでき、効果的に監視を行うことができる。
【００９０】
さらに、監視履歴を装置外部に出力するための履歴管理用ＩＣタグを用意し、ＩＣタグ監視装置が識別用ＩＣタグを監視した履歴を履歴管理用ＩＣタグに出力するため、ＰＤＡや携帯型の読取装置等を用いて履歴管理用ＩＣタグから監視履歴データを非接触で取り出すことができる。このように構成することで、ＩＣタグ監視装置が物理的にどこに設置されていても、履歴管理用ＩＣタグを外部と送受信しやすい位置に設置すれば、簡便・効率的に監視履歴を取り出して管理することが可能になる。
【００９１】
請求項４に記載の監視システムによれば、請求項３に記載の発明の効果に加え、監視履歴データには、反射波受信手段が反射波を受信できなくなった時点の時刻（消失時刻）、再び受信できるようになった時点の時刻（復帰時刻）、識別用ＩＣタグのすり替え等により予め登録されている登録データと異なる識別データが受信された時点の時刻（ＩＤ異常時刻）のいずれかが含まれる。従って、識別用ＩＣタグの監視履歴を後から参照することができる。また、不正が行われた正確な時刻を知ることができるため、監視システムの設置された装置のある遊技場等に監視カメラが設置されている場合には、監視カメラの撮影時刻と照合すれば、不正行為をなした人物を特定することも可能である。
【００９２】
請求項５に記載の監視システムによれば、請求項３又は４に記載の発明の効果に加え、履歴管理用ＩＣタグに複数の識別用ＩＣタグについての監視履歴データを記憶する。従って、複数箇所に識別用ＩＣタグを設置し、それぞれの監視履歴データを読み取りたい場合にも、１箇所の履歴管理用ＩＣタグと通信すればよく、効率的に監視・管理を行うことができる。
【００９３】
請求項６に記載の監視システムによれば、請求項３乃至５のいずれかに記載の監視システムの効果に加え、監視履歴読取装置により監視履歴データを非接触により読み取り、その場で監視履歴データを確認できるほか、監視履歴読取装置からネットワークを介してコンピュータに監視履歴データを送信して管理する等効果的に監視を行うことができる。
【００９４】
請求項７に記載の遊技機によれば、請求項１、３乃至５のいずれかに記載の発明の効果を奏することができる。
【００９５】
請求項８に記載の遊技機によれば、請求項７に記載の発明の効果に加え、遊技機の前面側から非接触型の読取装置等を用いて履歴管理用ＩＣタグにアクセスし、容易に監視履歴データを取り出して管理することができる。
【図面の簡単な説明】
【図１】パチンコ機１の正面図である。
【図２】パチンコ機１の遊技盤２の正面図である。
【図３】パチンコ機１のガラス枠１３を開いた状態の斜視図である。
【図４】パチンコ機１の背面図である。
【図５】Ｒ／Ｗユニット５６の分解斜視図である。
【図６】基板ボックス８０の正面図である。
【図７】基板ボックス８０の斜視図である。
【図８】基板ボックス８０の分解斜視図である。
【図９】基板ボックス８０の分解斜視図である。
【図１０】識別用ＩＣタグ８６，１８６の正面図である。
【図１１】開閉扉１６ａが閉鎖されている状態のアタッカ部材１６０の斜視図である。
【図１２】開閉扉１６ａが開放されている状態のアタッカ部材１６０の斜視図である。
【図１３】履歴管理用ＩＣタグ８７の正面図である。
【図１４】ＰＤＡ１００の斜視図である。
【図１５】パチンコ機１の電気的回路構成を示すブロック図である。
【図１６】Ｒ／Ｗユニット５６の電気的回路構成を示すブロック図である。
【図１７】識別用ＩＣタグ８６の電気的回路構成を示すブロック図である。
【図１８】履歴管理用ＩＣタグ８７の電気的回路構成を示すブロック図である。
【図１９】ＰＤＡ１００の電気的回路構成を示すブロック図である。
【図２０】基板ボックス８０の状態を監視する監視処理のフローチャートである。
【図２１】アタッカ部材１６０の状態を監視する監視処理のフローチャートである。
【図２２】ＰＤＡ１００の監視履歴データ読取処理の概略を示すフローチャートである。
【図２３】履歴管理用ＩＣタグ８７の処理の概略を示すフローチャートである。
【符号の説明】
１　パチンコ機
２　遊技盤
１６　大入賞口
１６ａ　開閉扉
４１　主制御基板
４２　電源基板
５０　ＬＳＩ
５１　ＣＰＵ
５２　ＲＡＭ
５３　ＲＯＭ
５５　出力ポート
５６　Ｒ／Ｗユニット
５６ａ　ＣＰＵ
５６ｂ　ＲＡＭ
５６ｃ　ＲＯＭ
５６ｄ　ＥＥＰＲＯＭ
５６ｇ　ＲＦ回路
５６ｈ　ＬＡＮカード
５６ｉ　入出力ポート
５６ｋ　同軸ケーブル
６８　アンテナ
６９　７セグメント表示器
８０　基板ボックス
８０ａ　上蓋部
８０ｃ　下蓋部
８６　識別用ＩＣタグ
８６ａ　ＲＦ回路
８６ｃ　ＥＥＰＲＯＭ
８７　履歴管理用ＩＣタグ
８７ｂ　アンテナ
８７ｄ　ＥＥＰＲＯＭ
８７ｅ　ＲＦ回路
１００　ＰＤＡ
１０１　読取ユニット
１０２　アンテナ
１０３　表示パネル
１０８　警告ランプ
１１０　ＲＦ回路
１１４　フラッシュメモリ
１６０　アタッカ部材
１８６　識別用ＩＣタグ
１６８　アンテナ
【図１】
2004086888.tif 000003
【図２】
2004086888.tif 000004
【図３】
2004086888.tif 000005
【図４】
2004086888.tif 000006
【図５】
2004086888.tif 000007
【図６】
2004086888.tif 000008
【図７】
2004086888.tif 000009
【図８】
2004086888.tif 000010
【図９】
2004086888.tif 000011
【図１０】
2004086888.tif 000012
【図１１】
2004086888.tif 000013
【図１２】
2004086888.tif 000014
【図１３】
2004086888.tif 000015
【図１４】
2004086888.tif 000016
【図１５】
2004086888.tif 000017
【図１６】
2004086888.tif 000018
【図１７】
2004086888.tif 000019
【図１８】
2004086888.tif 000020
【図１９】
2004086888.tif 000021
【図２０】
2004086888.tif 000022
【図２１】
2004086888.tif 000023
【図２２】
2004086888.tif 000024
【図２３】
2004086888.tif 000025